(57)【要約】【課題】本発明は、面ファスナーの雄面の圧着と剥離とを繰り返してもループや生地が痛むことがなく、長期使用（長持ちする）を可能にするとともに、通気性の優れた面ファスナーの雌面を提供する【解決手段】本発明に係る面ファスナーの雌面は、ループ４を有する表材５と、中材６と、裏材７とをラミネートしてなり、前記表材５をパイル編によりループを立てて形成し、該パイル編地の裏から反応性ホットメルト８により強い接着強度及び優れた耐久性をもって固められることを特徴とし、ループ４が組織的にしっかり立ち、雄面との絡みつきが良好になるとともに、雄面との接着及び剥離を激しく繰り返してもループ４や生地の痛みがない。しかも、起毛により無理やり立てたループと異なり生地の目が詰まってしまうことがなく、表材自体の通気性が良好に保てるように構成している。【選択図】図３
2015012924.tif 000002
【特許請求の範囲】
【請求項１】
ループを有する表材と、中材と、裏材とをラミネートしてなる面ファスナーの雌面において、前記表材をパイル編によりループを立てて形成し、該パイル編地の裏から反応性ホットメルトにより固めてなることを特徴とする面ファスナーの雌面。
【発明の詳細な説明】
【技術分野】
【０００１】
本発明は、雄面（フック、マシュルーム状の突子等）の接着と剥離とが繰り返されてもループや生地が破壊されてしまわず通気性の良好な面ファスナーの雌面に関するものである。
【背景技術】
【０００２】
一般に、面ファスナーは、多数の釣針状のフック又はマッシュルーム状の突子などを有する雄面が、多数のループを有する雌面に重ね合わせて圧すると、フックなどがループに絡みついて接着（結合）し、剥離させるとフックなどの変形により絡みつきが解かれるようになっているもので、ベルトの左右端部の止具、サポータの左右端部の止具、カバンの開口端の閉じ具、ゴルフ手袋の開口部の締具などに広く応用されている。
【０００３】
前記面ファスナーの雌面は、たとえば、実開昭６２−２０３６１０の如く、形成されていた。即ち、図７（ａ）の如く、経編組織で作られた生地７１の表側に現れた経糸７２を、図７（ｂ）の破線の如く、起毛により生地７１を巾方向（緯方向）に縮小させつつループ７３を形成していた。
【特許文献１】実開昭６２−２０３６１０号公報
【発明の開示】
【発明が解決しようとする課題】
【０００４】
しかしながら、上述の如く、起毛により形成されたループ７３は、無理やり作られているため、ループ７３は破線の如く横臥状になっていた（しっかり立っていなかった）ため、雄面との絡みつきが悪かったばかりでなく、雄面の接着と剥離とを繰り返すと、前記ループ７３の変形や生地４１の痛みが激しくなり、面ファスナーの雌面としての機能が早期になくなってしまうという虞があった。また、起毛によりループを形成するため生地は、巾方向（緯方向）に縮小され、目が組織的に詰まってしまうことから通気性を悪くしていた。
【０００５】
本発明は、上記課題を解決するもので、その目的とするところは、面ファスナーの雄面との接着及び剥離とを連続して繰り返してもループや生地が痛むことがなく、長期使用（長持ちする）を可能にするとともに、通気性の優れた面ファスナーの雌面を提供することにある。
【課題を解決するための手段】
【０００６】
上記目的を達成するため、本発明は、ループを有する表材と、中材と、裏材とをラミネートしてなる面ファスナーの雌面において、前記表材をパイル編によりループを立てて形成し、該パイル編地の裏から反応性ホットメルトにより固めてなることを特徴とし、組織的にループをしっかり立たせ、雄面と絡みつき（接着保持性）を良好にするとともに、雄面の接着及び剥離を激しく繰り返してもループや生地の痛みがなく、しかも、通気性が良好になるように構成した。
【発明の効果】
【０００７】
本発明によれば、表材はパイル編地により起毛でなく組織的にループをしっかり立てた状態で形成され、しかも、ループ及び表材は、反応性ホットメルトにより高い接着強度及び優れた耐久性をもって固められている。ループがしっかり立っているため、雄面との絡みつき（接着保持性）も良好であるとともに、雄面による接着と剥離を繰り返してもループ及び表材は痛むことがなく、長期にわたって機能を長期に安定して発揮させることができる。また、起毛により無理やり立てたループと異なり目が詰まってしまうことがないので、表材自体の通気性が良好に保てるなど各種の優れた効果を奏するものである。
【発明を実施するための最良の形態】
【０００８】
次に、本発明の実施の態様について図面を参照して説明する。図１は本願面ファスナーの雌面とこれに対向する雄面を用いた腰痛バンドの斜視図、図２は本願面ファスナーの雌面の部分を示す斜視図、図３は本願面ファスナーの雌面の一部拡大断面図、図４は接着と剪断試験図で、（ａ）は本願雌面テープ、（ｂ）は従来型雌面テープ、図５は接着と保持率試験図で、（ａ）は本願雌面テープ、（ｂ）は従来型雌面テープ、図６は接着と剥離を繰り返すための試験装置を示す正面図である。
【０００９】
図１において、１は脱着の必要な個所、例えば、腰に使用されるバンド（腰痛ベルトやコルセットなどがある）で、該バンド１の一端部の一面（表面）には本願面ファスナーの雌面２が使用され、他端部に他面（裏面）には面ファスナーの雄面３が用いられ、これら雌面２及び雄面３を重ねて圧することによりバンド１を人体（図示せず）に巻き付けた状態で固定できるとともに、雌面２と雄面３とを剥離することにより人体から離反させることも簡単にできる。
【００１０】
前記本願面ファスナーの雌面２は、図２の如く、ループ４を有する表材５と、中材６と、裏材７とを反応性ホットメルト８によりラミネートして複合化（一体化）している。前記反応性ホットメルト８は、今までのホットメルト同様に、加熱溶融させた状態で塗布し、硬く筒状に巻くなどして冷却固化し、ほぼ１週間程度養生することにより強い接着強度と優れた耐久性が得られるようになるものである。
【００１１】
前記表材５は、パイル編によりループ４を、図３の如く、組織的にしっかり立てて形成されている。したがって、起毛により無理やりループを作ったものと異なり表材自体の目が詰まってしまうことがなく、通気性を損なわせることがない。しかも、編地の裏面（中材６との境）は反応性ホットメルト８により固められているため、ループ４及び表材５は強い強度と優れた耐久性が得られるから、雄面による接着と剥離を激しく繰り返してもループ４が変形することも表材５が崩れるようなこともなく、長期にわたってその機能を安定して保たせることができる。
【００１２】
前記中材６は、前記表材５が有する通気性を打ち消さないメッシュ状であって、無数の通気孔６′を有しているものが好ましい。この中材６としては、ナイロン糸、ポリエステル繊維糸、天然繊維糸のいずれを利用して得られるが、用途によっては樹脂加工により硬さが調整される。
【００１３】
前記裏材７は、人体の肌に直接触れることを考慮し、肌ざわりの良いものを使用することが好ましい。たとえば、綿とレーヨンの混合糸からなる鹿の子編地が選ばれる。該鹿の子編地は、表編みと重ね編みを縦横交互に編まれ、子鹿（こじか）の模様に似た透かし部７′のあるような編み方で、通気性があり、腰痛ベルトやコルセットやサポータなどに使用して好適である。
【００１４】
次に、本願面ファスナーの雌面の試験例を示す。
「試験例１」
【００１５】
まず、本願面ファスナーの雌面（パイルループ）を、巾５ｃｍの短冊状にした本願雌面テープＡを５枚用意する。該本願雌面テープＡと、これと同様に巾５ｃｍの短冊状にした５枚の従来型雄面テープＢとを、一端部を５ｃｍ分だけ、図４（ａ）の如く、挿し違い状に重ねて圧して接着試験を行った。その後、本願雌面テープＡと従来型雄面テープＢの外端部を、同図の如く、把持部材Ｈ、Ｈ′により掴んで背反方向に引っ張って剪断試験を行った。次いで、従来面ファスナーの雌面（起毛ループ）を、巾５ｃｍの短冊状にした従来型雌面テープＣを５枚用意し、該従来型雌面テープＣと、これと同様に巾５ｃｍの短冊状にした５枚の従来型雄面テープＢとを、一端部を５ｃｍ分だけ、図４（ｂ）の如く、挿し違い状に重ねて圧して接着試験を行った。その後、従来型雌面テープＣと従来型雄面テープＢの外端部を、同図の如く、把持部材Ｈ、Ｈ′により掴んで背反方向に引っ張って剪断試験を行った。
【００１６】
上記本願雌面テープＡを用いたものは、５組とも端部同士を軽く圧した程度で接着したが、従来型雌面テープＣを用いたものは、５組とも端部同士を軽く圧した程度では互いにうまく接着せず、接着性は本願雌面テープＡの方が良好であった。また、剪断力は、本願雌面テープＡを用いたものは、“１．７２ｋｇｆ／ｃｍ２”であったが、従来型雌面テープＣを用いたものは“０．８７ｋｇｆ／ｃｍ２”であった。したがって、本願雌面テープＡの方が、従来型雌面テープＣに比較して接着性及び剪断力において優れていることが確認できた。
「試験例２」
【００１７】
本願面ファスナーの雌面（パイルループ）を、巾５ｃｍの短冊状にした本願雌面テープＡを５枚用意する。該本願雌面テープＡと、これと同様に巾５ｃｍの短冊状にした５枚の従来型雄面テープＢとを、一端部を５ｃｍ分だけ、図５（ａ）の如く、同一方向に向けて重ねて圧して接着試験を行った。その後、本願雌面テープＡと従来型雄面テープＢとを、その重ね端より背反方向に９０°屈曲し、その屈曲方向にある他端部を、同図の如く、把持部材Ｈ、Ｈ′により掴んで引っ張って保持率の試験を行った。次いで、従来面ファスナーの雌面（起毛ループ）を、巾５ｃｍの短冊状にした従来型雌面テープＣを５枚用意し、該従来型雌面テープＣと、これと同様に巾５ｃｍの短冊状にした５枚の従来型雄面テープＢとを、重ね端より背反方向に９０°屈曲し、その屈曲方向にある他端部を、同図の如く、把持部材Ｈ、Ｈ′により掴んで引っ張って保持率の試験を行った。
【００１８】
この場合も本願雌面テープＡを用いたものは、５組とも端部同士を軽く圧した程度で接着したが、従来型雌面テープＣを用いたものは、５組とも端部同士を軽く圧した程度では互いにうまく接着せず、接着性は本願型の雌面テープＡの方が良好であった。また、保持率（％）は、本願雌面テープＡでは、“１４３”であったが、従来型雌面テープＣを用いたものは“９１．３”であった。したがって、本願雌面テープＡは、従来型雌面テープＣに比較して接着性及び保持率において優れていることが確認できた。
【００１９】
「試験例３」
図６の如く、径が１４０ｍｍの上ドラムＤ１と下ドラムＤ２とを接して設け、上ドラムＤ１に巾５ｃｍの短冊状にした従来型雄面テープＢを１周張り、下ドラムＤ２に巾５ｃｍの短冊状にした本願雌面テープＡを１周張る。しかして、上ドラムＤ１に必要な重さのバランスＶをとった上で、５ｇ（巾１ｃｍに対して１ｇ）の錘Ｋを掛ける。そしてドラムＤ１とＤ２とを外周速度７０ｃｍ／ｓで、接着と剥離を１回転毎に正逆反転させ２，０００回繰り返すとともに、従来型雄面テープＢと本願雌面テープＡとを５回張り替えてループの変形や生地の痛み具合を見た。次いで、上ドラムＤ１に巾５ｃｍの短冊状にした従来型雄面テープＢを張り、下ドラムＤ２に巾５ｃｍの短冊状にした従来型雌面テープＣを５回張り替えて同様の外周速度で、接着と剥離を１回転毎に正逆反転させ２，０００回繰り返してループの変形や生地の痛み具合を見た。
【００２０】
上記の結果、本願雌面テープＡを用いたものは、５回とも、２，０００回繰り返してもそれぞれループの変形や生地の痛みがなく、面ファスナーとして充分に機能を発揮できることが判った。これに対し、従来型雌面テープＣを用いたものでは、１，０００回繰り返した時点でドラムを止めてループ及び生地の状態を調べたところヘタっていたが、そのまま２，０００回繰り返したところ、面ファスナーとしての機能を全く失くしていた。
【産業上の利用可能性】
【００２１】
本願は、面ファスナーの雄面の接着と剥離とを繰り返してもループや生地が痛むことがなく、長期使用（長持ちする）を可能にするとともに、通気性の優れた面ファスナーの雌面を提供するものであり、腰痛ベルトやコルセットやサポータ、その他種々の用途に利用できる産業上の利用可能性は極めて高いものである。
【図面の簡単な説明】
【００２２】
【図１】本願面ファスナーの雌面とこれに対向する従来型雄面を用いた腰痛バンドの斜視図である。
【図２】本願面ファスナーの雌面の部分を示す斜視図である。
【図３】本願面ファスナーの雌面の一部拡大断面図である。
【図４】接着と剪断試験図で、（ａ）は本願雌面テープ、（ｂ）は従来型雌面テープである。
【図５】接着と保持率試験図で、（ａ）は本願雌面テープ、（ｂ）は従来型雌面テープである。
【図６】接着と剥離を繰り返すための試験装置を示す正面図である。
【図７】従来のループの組織図で、（ａ）はループ形成前、（ｂ）はループ形成後である。
【符号の説明】
【００２３】
１  腰痛バンド（腰痛ベルト、腰痛コルセットともいう）
２  本願面ファスナーの雌面
３  従来型雄面
４  ループ
５  表材
６  中材
７  裏材
８  反応性ホットメルト
Ａ  本願雌面テープ
Ｂ  従来型雄面テープ
Ｃ  従来型雌面テープ
Ｄ１  上ドラム
Ｄ２  下ドラム
Ｖ  バランス
Ｋ  錘
【図１】
2015012924.tif 000003
【図２】
2015012924.tif 000004
【図３】
2015012924.tif 000005
【図４】
2015012924.tif 000006
【図５】
2015012924.tif 000007
【図６】
2015012924.tif 000008
【図７】
2015012924.tif 000009